(57)【要約】【課題】効率良く組み立てることができて強度も大きく、植物の栽培機能にも勝れた立面緑化モジュールを提供する。【解決手段】ボックス本体２０と、該ボックス本体２０の内部を複数の栽培箱２５に区画するプラグインユニット１０と、各栽培箱２５内の植物栽培媒質に水を分配する植物成長マット６０とを有し、上記プラグインユニット１０は、縦仕切板１２と、互いに平行しかつ前上がり状に傾斜する複数の横仕切板１１とを予め一体に結合することにより形成し、植物成長マット６０は、複数の栽培箱２５にわたって延在するように上記ボックス本体２０の背板１８に沿って配設し、上記プラグインユニット１０によって該背板１８に押し付けさせる。【選択図】図１
2010216224.tif 000002
【特許請求の範囲】
【請求項１】
前面が開放する箱形をなし、上部に取水口を有しかつ下部に排水口を有するボックス本体と、該ボックス本体に収容されて該ボックス本体の内部を複数の栽培箱に区画するプラグインユニットと、上記取水口から供給された水を各栽培箱内の植物栽培媒質に分配する植物成長マットと、上記ボックス本体を壁に取り付けるための取付機構とを有し、
上記プラグインユニットは、少なくとも一つの縦仕切板と、互いに平行しかつ前上がり状に傾斜する複数の横仕切板とを、予め一体に結合することにより形成され、
上記植物成長マットは、複数の栽培箱にわたって延在するように上記ボックス本体の背板内面に沿って配設され、上記プラグインユニットの縦仕切板及び横仕切板によって上記背板に押し付けられていることを特徴とする立面緑化モジュール。
【請求項２】
上記植物成長マットは、通水性と通気性とを有していて、上記取水口から水が供給されたときはこの水を各栽培箱内の植物栽培媒質に供給し、上記取水口から水が供給されないときは、保水量の減少に伴う通気性の増大によって各栽培箱及び上記植物栽培媒質に対して空気層を提供するように構成されていることを特徴とする請求項１に記載の立面緑化モジュール。
【請求項３】
上記プラグインユニットにおける横仕切板の前端部と後端部とに、水を下方へと流すための外ノッチと内ノッチとが形成されていることを特徴とする請求項１又は２に記載の立面緑化モジュール。
【請求項４】
各横仕切板の外ノッチと内ノッチとが、上記縦仕切板に近接する側と該縦仕切板から離間する側とに互いの位置をずらして配置されると共に、上下の横仕切板の外ノッチ同士及び内ノッチ同士が互い違いに配置されていることを特徴とする請求項３に記載の立面緑化モジュール。
【請求項５】
上記取付機構が、上記ボックス本体の背面に設けられたブラケット及びクランプと、壁に固定されるペンダントとからなり、上記ブラケット及びクランプは、互いに同じ方向に傾斜するブラケット面及びクランプ面を有し、上記ペンダントは、上記ブラケット面及びクランプ面と同じ方向に傾斜するブラケット係止面とクランプ係止面とを有し、上記ブラケット面をブラケット係止面に係止させると共に上記クランプ面をクランプ係止面に係止させることにより、上記ボックス本体が上記ペンダントを介して壁に取り付けられていることを特徴とする請求項１から４の何れかに記載の立面緑化モジュール。
【発明の詳細な説明】
【技術分野】
【０００１】
本発明は緑化を実現する設備に関するものであり、特に、建物等の壁面を緑化するための立面緑化モジュールに関するものである。
【背景技術】
【０００２】
近年、経済力の増強と共に人々の生活レベルが向上したことに伴い、環境への注目度が高まっている。人々は、自分の周りの生活環境の緑化を重視するようになり、花や草、樹木、緑の芝生等を庭に植えることにより平面緑化を行うだけでなく、建物等の垂直な壁面を緑化する垂直緑化（立面緑化）を行う例も少なくない。
【０００３】
このような立面緑化を行う場合、一般に、壁面に取り付けるモジュール方式が採用されている。特許文献１には、モジュール化された垂直緑化のための組合せ装置が公開されている。この装置は、壁に掛ける背板、垂直フレーム、上部仕切板、底部仕切板、上部フレームによってボックス本体に組み立てられる。また、横仕切板と縦仕切板でボックス本体の中をいくつかの栽培箱に分割する。ボックス本体の背面には水平掛け溝を設け、この水平掛け溝を利用して上記装置は壁面に取り付けられる。このようなモジュール装置は、使用時に以下のような欠陥を有している。
【０００４】
１．複数の横仕切板は、一枚ずつボックス本体の内部に挿入し、別に挿入した縦仕切板と接続する必要があり、しかも、他の横仕切板と相互に関連付けて挿入しなければならないため、作業効率が低い。さらに、個々の横仕切板の剛性がわりに劣っているため、しばらくするとある程度の変形が現れる。その変形は殆ど反り変形であるため、縦仕切板やボックス本体に形成された支持溝内に端部を円滑に挿入することができなくなったり、全く挿入することができなくなることが多く、その結果、モジュール全体が使用不能となって該モジュールの使用寿命を大いに下げる結果となってしまう。
２．栽培箱中の土壌が水流で流されて流失し易く、また、各栽培箱への給水や通気等が円滑に行われないため、植物の根部が土壌中にしっかり根付くことができず、根付いても順調に生育しにくい。
【先行技術文献】
【特許文献】
【０００５】
【特許文献１】中国特許出願第１０１２６８７４５号明細書
【発明の概要】
【発明が解決しようとする課題】
【０００６】
本発明の目的は、上述の従来技術の欠点を克服し、効率良く組み立てることができて強度も大きく、植物の栽培機能にも勝れた立面緑化モジュールを提供することにある。
【課題を解決するための手段】
【０００７】
上記目的を達成するため、本発明によれば、前面が開放する箱形をなし、上部に取水口を有しかつ下部に排水口を有するボックス本体と、該ボックス本体に収容されて該ボックス本体の内部を複数の栽培箱に区画するプラグインユニットと、上記取水口から供給された水を各栽培箱内の植物栽培媒質に分配する植物成長マットと、上記ボックス本体を壁に取り付けるための取付機構とを有する立面緑化モジュールが提供される。
そして、上記プラグインユニットは、少なくとも一つの縦仕切板と、互いに平行しかつ前上がり状に傾斜する複数の横仕切板とを、予め一体に結合することにより形成され、また、上記植物成長マットは、複数の栽培箱にわたって延在するように上記ボックス本体の背板内面に沿って配設され、上記プラグインユニットの縦仕切板及び横仕切板によって上記背板に押し付けられている。
【０００８】
本発明において、上記植物成長マットは、通水性と通気性とを有していて、上記取水口から水が供給されたときはこの水を各栽培箱内の植物栽培媒質に供給し、上記取水口から水が供給されないときは、保水量の減少に伴う通気性の増大によって各栽培箱及び上記植物栽培媒質に対して空気層を提供するように構成されている。
【０００９】
本発明において好ましくは、上記プラグインユニットにおける横仕切板の前端部と後端部とに、水を下方へと流すための外ノッチと内ノッチとが形成されていることである。
この場合、各横仕切板の外ノッチと内ノッチとが、上記縦仕切板に近接する側と該縦仕切板から離間する側とに互いの位置をずらして配置されると共に、上下の横仕切板の外ノッチ同士及び内ノッチ同士が互い違いに配置されていることが望ましい。
【００１０】
また、本発明においては、上記係止機構が、上記ボックス本体の背面に設けられたブラケット及びクランプと、壁に固定されるペンダントとからなり、上記ブラケット及びクランプは、互いに同じ方向に傾斜するブラケット面及びクランプ面を有し、上記ペンダントは、上記ブラケット面及びクランプ面と同じ方向に傾斜するブラケット係止面とクランプ係止面とを有し、上記ブラケット面をブラケット係止面に係止させると共に上記クランプ面をクランプ係止面に係止させることにより、上記ボックス本体が上記ペンダントを介して壁に取り付けられている。
【発明の効果】
【００１１】
本発明によれば、縦仕切板と横仕切板とを予め一体に結合することによってプラグインユニットを形成したので、上記縦仕切板及び横仕切板の剛性が高くなり、該プラグインユニットのボックス本体内部への取り付けも簡単である。また、横仕切板を前上がり状に傾斜させて植物栽培媒質が栽培箱の前面側から流出しにくくすると共に、ボックス本体の背板内面に沿って配設した植物成長マットを通じて各栽培箱の植物栽培媒質に水を供給するようにし、流水による植物栽培媒質の流出が生じないようにしたので、植物の栽培を安定的に行うことができる。
【図面の簡単な説明】
【００１２】
【図１】本発明に係る立面緑化モジュールの斜視図である。
【図２】プラグインユニットの斜視図である。
【図３（ａ）】構造が異なるプラグインユニットの斜視図である。
【図３（ｂ）】さらに構造が異なるプラグインユニットの斜視図である。
【図３（ｃ）】上記構造が異なるプラグインユニットを使用して形成した立面緑化モジュールの正面図である。
【図４】図１のＭ−Ｍ線に沿ってボックス本体を切断した断面図である。
【図５】図１のモジュールをＮ方向から見た背面図である。
【図６】図４におけるＡ部の拡大図である。
【図７】図４における該当部位のＢ方向矢視図である。
【図８】ペンダントの正面図である。
【図９】ボックス本体をペンダントに係止させた状態を示す、図５におけるＤ−Ｄ線に沿った位置での断面図である。
【発明を実施するための形態】
【００１３】
図１及び図４に示すように、本発明に係る立面緑化モジュールは、主として、四角い箱形をしたボックス本体２０と、このボックス本体２０の内部に収容されたプラグインユニット１０及び植物成長マット６０と、上記ボックス本体２０を建物等の壁に係止させるためのペンダント５０（図５、図８、図９参照）とにより構成されている。これらのボックス本体２０、プラグインユニット１０、ペンダント５０は、それぞれ、合成樹脂で形成されている。
【００１４】
上記ボックス本体２０は、前面が開放するやや縦長の箱形をなすもので、その天板２９ａ及び底板２９ｂは、該ボックス本体２０の背板１８側に向けて高さが次第に低くなるよう前上がり状に傾斜している。該ボックス本体２０の上端には、上記天板２９ａの上面後方寄りの位置に、段状に立ち上がった取水部２２が天板２９ａの横幅全体にわたり延在するように形成され、この取水部２２に、ボックス本体２０の前面側に向けて開口する取水口２２ａが設けられている。また、上記ボックス本体２０の下端には、上記底板２９ｂの後方寄りの位置に、上向きに窪んだ段状の排水部２１が形成され、この排水部２１の左右二カ所に排水口２１ａが形成されている。
【００１５】
上記ボックス本体２０の左右両側面の互いに対称をなす位置には、前上がり状に傾斜する細長い長方形スロット２３が形成され、この長方形スロット２３の底に固定孔２４が設けられている。そして、壁に固定された上記ペンダント５０にボックス本体２０を係止させたあと、上記固定孔２４に挿通したねじで該ボックス本体２０を上記ペンダント５０に固定するようになっている。上記長方形スロット２３は、ねじの締め付けや取り外しのための作業用空間を形成するものである。
【００１６】
上記ボックス本体２０の中に、平らな縦仕切板１２と横仕切板１１とを組み合わせて形成された上記プラグインユニット１０が収容され、このプラグインユニット１０によって全部で１２個の栽培箱２５が区画されている。また、上記ボックス本体２０の左右の側板１９の上部には、上記取水部２２の位置に、点滴灌漑装置固定用の台型の差込みスロット２７が形成されている。この差込みスロット２７は、点滴灌漑装置と点滴口の位置決めの役割を果たし、点滴灌漑装置上の点滴口が取水口２２ａと合うようにする。
【００１７】
図２に示すように、上記プラグインユニット１０は、鉛直方向に延びる細長い四角形状をした一つの縦仕切板１２の左右両側面に、それぞれ６枚の同じ大きさを有する矩形の上記横仕切板１１を、上下に等間隔を保って平行かつ前上がり状に傾斜させて固定したもので、これらの縦仕切板１２と横仕切板１１とは、合成樹脂で一体に形成されている。
【００１８】
上記横仕切板１１の傾斜角度は、上記ボックス本体２０における天板２９ａ及び底板２９ｂの傾斜角度と等しく、その鉛直面に対する好ましい傾斜角度は、大体４５度〜７０度程度である。
また、上記縦仕切板１２の上端縁１２ａ及び下端縁１２ｂも、上記横仕切板１１と同様に前上がり状に傾斜している。なお、上記下端縁１２ｂには、図２に鎖線で示すように、ボックス本体２０の下部の上記排水部２１に合わせて切欠部１２ｃが形成される。
【００１９】
このようにして、従来は別々に形成されてモジュール形成時に接続されていた縦仕切板１２と横仕切板１１とが、プラグインユニット１０として予め一体に形成されている。このため、各仕切板の剛性が増大し、また、従来のように複数の横仕切板を縦仕切板やボックス本体の支持溝に差し込んで係止させる作業を何回も行う必要がなく、プラグインユニット１０をボックス本体２０に収容する一回の作業だけで済むことになり、ボックス本体２０に対する各横仕切板１１の接続も一層便利になる。
【００２０】
上記横仕切板１１には、その前端部と後端部とにそれぞれ外ノッチ１１ａと内ノッチ１１ｂとが形成されている。このうち外ノッチ１１ａは、横仕切板１１の傾斜の高い側である前端部に形成され、内ノッチ１１ｂは、傾斜の低い側である後端部に形成されている。また、これらの外ノッチ１１ａと内ノッチ１１ｂとは、互いの位置を上記縦仕切板１２に近接する位置と該縦仕切板１２から離間する位置とにずらして配置されると共に、上下の横仕切板１１の外ノッチ１１ａ同士及び内ノッチ１１ｂ同士が互い違いの位置を占めるように配置されている。
【００２１】
横仕切板１１の傾斜の低い側即ちボックス本体２０の背板１８側にある上記内ノッチ１１ｂは、通常時に、栽培箱２５内に供給される水量が多すぎたときそれを排水し、水が栽培箱２５の内部に溜まるのを防ぐ機能を有する。また、横仕切板１１の傾斜の高い側即ちボックス本体２０の前面側にある上記外ノッチ１１ａは、降雨時等に栽培箱２５内に多量の水が流入したような場合に、外部への排水を促進する機能を有する。これにより、過量の水が栽培箱２５内の植物育成用媒質を洗い流すのを防ぐことができる。
また、上記外ノッチ１１ａ及び内ノッチ１１ｂは、その大きさや深さ等にもよるが、根茎植物が隣接する栽培箱２５まで根を延ばす場合に、該根の誘導用としても機能するだけでなく、該根がこのノッチに係止することによって植物と緑化モジュールとを一体化させる機能をも有する。
【００２２】
本発明において、上記プラグインユニット１０は、上述した場合と構成が異なっていても良い。例えば、図３（ａ）に示したプラグインユニットＥは、複数の縦仕切板１２を有しており、図３（ｂ）に示したプラグインユニットＦは、一部で上下の横仕切板１１の間隔が他と異なっており、これらのプラグインユニットＥとプラグインユニットＦとをボックス本体２０の内部に挿入することによって図３（ｃ）に示したようなモジュールを形成することもできる。このように複数のプラグインユニットの組合せにより、容積が相違する栽培箱を形成することが可能である。
【００２３】
図４に示すように、上記プラグインユニット１０は、ボックス本体２０の左右の側板１９の内側面に形成された取付溝１３内に横仕切板１１の端部を挿入することにより、上記ボックス本体２０に取り付けられている。上記取付溝１３は、棒状部材からなる上溝縁１４と下溝縁１５との間に、前上がり状に傾斜した状態に形成されている。図６に示すように、上記上溝縁１４の先端部１４ａ及び下溝縁１５の先端部１５ａは、取付溝１３の入口の位置で上向きに反った円弧形をしている。また、上記上溝縁１４の先端部１４ａは、下溝縁１５の先端部１５ａよりも溝内部側に若干後退した位置を占めている。
【００２４】
このような取付溝１３の構成により、プラグインユニット１０の横仕切板１１を該取付溝１３に入口から円滑に挿入し、傾斜状態に取り付けることができる。また、横仕切板１１が取付溝１３内に完全に挿入されたとき、該横仕切板１１の前端部は、下溝縁１５の円弧形をした先端部１５ａに取付溝１３の内側から係止し、該横仕切板１１が取付溝１３から抜け出す方向へ移動するのが制限され、これによってプラグインユニット１０がボックス本体２０に固定されている。
しかし、上記上溝縁１４及び下溝縁１５の先端部は、湾曲することなく真っ直ぐに形成されていても良い。また、上記取付溝１３は、側板１９の全幅にわたり形成することができる。
【００２５】
上記植物成長マット６０は、通水性と通気性とを有するもので、複数の栽培箱２５にわたって延在するように、上記ボックス本体２０の背板１８の内面に沿って縦向きに配設され、上記プラグインユニット１０によって該背板１８に押し付けられている。このとき、上記下溝縁１５の円弧形の先端部１５ａが横仕切板１１に係止することにより、振動などで該横仕切板１１即ちプラグインユニット１０がボックス本体２０から抜け出す方向に移動するのを制限し、バックアップ効果を発揮する。この結果、上記プラグインユニット１０は、植物成長マット６０をボックス本体２０の背板１８の内面に押し付けた状態を安定的に維持することができる。図示した例では、上記植物成長マット６０が全ての栽培箱２５にわたって延在している。
【００２６】
図７に示すように、ボックス本体２０における天板２９ａの後端部寄りの位置（すなわち植物成長マット６０側寄りの位置）には、上記プラグインユニット１０の縦仕切板１２の左右両側となる位置に、Ｔ形をした取水ノッチ２８が設けられている。この取水ノッチ２８は、天板２９ａの後端部を該天板２９ａの横幅方向に細長く延びる横孔部２８ａと、該横孔部２８ａの中央から天板２９ａの前端側に向けて細長く延びる縦孔部２８ｂとからなるもので、該縦孔部２８ｂは、天板２９ａの前後方向幅のほぼ中央部近くまで延在しており、取水口２２ａから流れ込んだ水がこの取水ノッチ２８を通じて少量ずつ下の栽培箱２５に供給され、上記植物成長マット６０に吸収される。この植物成長マット６０は、吸収した水分を各栽培箱２５内の植物栽培媒質に均等に配分する。このように、取水ノッチ２８の形状を利用して合理的に水の供給量を分配することができるため、十分な水を植物成長マットに貯蓄することができる。
【００２７】
上記植物栽培媒質としては、土砂、岩綿、スポンジ等のほか、椰子などの植物繊維からなるマット等が使用され、このような植物栽培媒質が、前上がり状に傾斜する上記横仕切板１１上に載置され、これに植物が植えられる。
【００２８】
上記植物成長マット６０の使用は、上記植物栽培媒質への植物の根下ろしと定着とに有効であり、貯水量の変化により、植物の根部に適度の空気層を提供するという役割も果たす。即ち、上記取水口２２ａから水が供給されたときは、上記植物成長マット６０がこの水を各栽培箱２５内の植物栽培媒質に供給するが、上記取水口２２ａから水が供給されないときは、上記植物成長マット６０の貯水量が減少し、該植物成長マット６０を通じて各栽培箱２５の内部や植物栽培媒質に適度の空気層が供給される。
【００２９】
本実施例において、上記植物成長マット６０は、麻などの天然材料で形成することも、テリレン、ポリプロピレン等の化繊材料で形成することもできる。また、天然材料と化繊材料とを混合して植物成長マットを形成することもできる。要するに、緑化モジュールを設置する場所や設置条件あるいは植える植物の種類等により、上記植物成長マット６０の材料を適宜選択すれば良い。
【００３０】
図４及び図５に示すように、上記ボックス本体２０における背板１８の背面の横幅方向の中央位置には、後方に向けて突出するブラケット３０とクランプ４０とが上下に間隔をおいて設けられている。このうちブラケット３０は、主として、ペンダント５０に係止して上記ボックス本体２０を支持する役目を果たすもので、正面視で頂点が上を向いた三角形状をしており、図９からも分かるように、該三角形の底辺に当たる底壁部分に、外下がり状に傾斜するブラケット面３２が形成され、上記頂点の両側の斜辺に当たる逆Ｖ形の傾斜壁部分に、外下がり状に傾斜するポジショニング面３１が形成されている。
【００３１】
また、上記クランプ４０は、上記ブラケット３０で支持されたボックス本体２０を動かないように固定する役目を果たすもので、側面視形状が三角形をなし、その底辺である下向きの底壁部分に、外下がり状に傾斜するクランプ面４１が形成されている。従って、このクランプ面４１と上記ブラケット面３２とは互いに同じ方向に傾斜しており、それらは互いに平行する平面である。また、上記クランプ面４１の横方向長さは、ブラケット面３２の横方向長さより小さい。
【００３２】
図８において、上記ペンダント５０は、正面視で略Ｔ形をなし、複数の取付孔５４に挿通したねじで壁５８に固定される。このペンダント５０の上端中央位置には、下広がり状をなす燕尾形の切欠５５が形成され、この切欠５５の底壁部分に、上記ブラケット３０のブラケット面３２に対応するブラケット係止面５２が、該ブラケット面３２と同じ方向に傾斜するように形成され、上記切欠５５における左右の傾斜壁部分に、上記ポジショニング面３１に対応する二つの位置決め係止面５１が、該ポジショニング面３１と同じ方向に傾斜するように形成されている。
【００３３】
また、上記ペンダント５０の下端部には、上記クランプ４０のクランプ面４１に対応するクランプ係止面５３が、このクランプ面４１と同じ方向に傾斜するように形成されている。従って、このクランプ係止面５３と上記ブラケット係止面５２とは、互いに同じ方向に傾斜しており、それらは互いに平行する平面である。
【００３４】
図９に示すように、ボックス本体２０（及び該ボックス本体の中のプラグインユニット１０）は、上記ブラケット３０のブラケット面３２により、ペンダント５０のブラケット係止面５２に掛けられる。このとき、二つの位置決め係止面５１は、上記ポジショニング面３１と協同して、ボックス本体２０が上下、左右にずれるのを制限する。これによりボックス本体２０は、上記ペンダント５０に動かないように支えられる。また、上記ボックス本体２０とペンダント５０とは、上記クランプ４０のクランプ面４１とペンダント５０のクランプ係止面５３との係止によってしっかりと結合される。このようにして緑化モジュールは、上記ペンダント５０に、正確に位置決めされた状態で簡単かつ安定的に係止させられる。従って、上記ブラケット３０とクランプ４０とペンダント５０とは、上記緑化モジュール（ボックス本体２０）を壁５８に取り付けるための取付機構を構成するものである。
そして、上述したようにしてペンダント５０に係止させられた緑化モジュールが、上記長方形スロット２３の固定孔２４に挿通したねじで該ペンダント５０に固定される。しかし、上記取付機構だけで緑化モジュールを壁に取り付けても良い。
【００３５】
また、本発明の緑化モジュールは、強度を増すため、補強用リブ２６（図５参照）を備えている。そして、無毒かつ無害で回収可能な環境保護型材料で製作されている。そのような材料の例として、例えば、回収可能な高密度のポリエチレン材料がある。
【００３６】
壁面の立面緑化を行う時、好ましくはいくつかの緑化モジュールが上下に並べて配置され、互いの底板２９ｂと天板２９ａとを当接させることにより、排水口２１ａと取水口２２ａとを連通させた状態で壁面に取り付けられる。これにより、相応する水流灌漑システムが形成され、上から下まで滞りなく水が流れる。植物栽培媒質をボックス本体２０の各栽培箱２５の中に適量収容して、この植物栽培媒質に植物を植えて栽培し、植物に注ぐ水は、上段のボックス本体２０に取り付けた点滴灌漑装置の点滴口を通じて取水口２２ａから供給する。供給された水は、図３に白抜きの矢印で示すように、植物成長マット６０やボックス本体２０の後壁面あるいは植物栽培媒質に沿って同時に下向きに流れ、排水口２１ａから流出し、下段のボックス本体２０の内部にその取水口２２ａから流入する。最下段の緑化モジュールにおいては、上記排水口２１ａから外部に流出する。
【符号の説明】
【００３７】
１０      プラグインユニット
１１      横仕切板
１１ａ      外ノッチ
１１ｂ      内ノッチ
１２      縦仕切板
１８      背板
２０      ボックス本体
２１ａ      排水口
２２ａ      取水口
２５      栽培箱
３０      ブラケット
３２      ブラケット面
４０      クランプ
４１      クランプ面
５０      ペンダント
５２      ブラケット係止面
５３      クランプ係止面
５８      壁
６０      植物成長マット
【図１】
2010216224.tif 000003
【図２】
2010216224.tif 000004
【図３（ａ）】
2010216224.tif 000005
【図３（ｂ）】
2010216224.tif 000006
【図３（ｃ）】
2010216224.tif 000007
【図４】
2010216224.tif 000008
【図５】
2010216224.tif 000009
【図６】
2010216224.tif 000010
【図７】
2010216224.tif 000011
【図８】
2010216224.tif 000012
【図９】
2010216224.tif 000013